(57)【要約】【課題】  洗浄対象物表面の汚れを液滴又は泡状で覆うように付着させることにより、優れた洗浄力を発揮することができる食器洗い用スプレー式洗浄剤製品を提供する。【解決手段】  （ａ）成分のアニオン界面活性剤と、（ｂ）成分の半極性界面活性剤、（ｃ）成分のエタノール０．１〜２０質量％とを含有し、（ａ）及び（ｂ）を含む界面活性剤の合計が３〜２０質量％であり、質量比（ａ）：（ｂ）が２：１〜２０：１である液体組成物を液滴状又は泡状に変換し、吐出させる容器に充填したことを特徴とする食器洗い用スプレー式洗浄剤製品。また、本発明の食器洗い用スプレー式洗浄剤製品は、上記組成物を、（１）被洗物に直接スプレーすることにより、水ですすぐだけで被洗物に付着した汚れが落ちることを訴求したこと、または、（２）固着汚れ被洗物に直接スプレーし、擦り洗いにより付着した汚れが落ちることを訴求したものであってもよい。【選択図】  図１
2004217908.tif 000002
【特許請求の範囲】
【請求項１】
下記（ａ）〜（ｃ）を含有し、（ａ）及び（ｂ）を含む界面活性剤の合計が３〜２０質量％であり、質量比（ａ）：（ｂ）が２：１〜２０：１である液体洗浄剤組成物を液滴状または泡状に変換し、吐出させる容器に充填したことを特徴とする食器洗い用スプレー式洗浄剤製品。
（ａ）アニオン界面活性剤
（ｂ）半極性界面活性剤
（ｃ）エタノール０．１〜２０質量％
【請求項２】
液体洗浄剤を液滴状又は泡状に変換して、被洗物に直接スプレーすることにより、水ですすぐだけで被洗物に付着した汚れが落ちることを訴求したことを特徴とする請求項１に記載の食器洗い用スプレー式洗浄剤製品。
【請求項３】
液体洗浄剤を液滴状又は泡状に変換して、固着汚れ被洗物に直接スプレーし、擦り洗いにより付着した汚れが落ちることを訴求したことを特徴とする請求項１に記載の食器洗い用スプレー式洗浄剤製品。
【発明の詳細な説明】
【技術分野】
【０００１】
本発明は、洗浄対象物表面の汚れを液滴又は泡状で覆うように液体洗浄剤を付着させることにより、優れた洗浄力を発揮することができる食器洗い用スプレー式洗浄剤製品に関する。
【背景技術】
【０００２】
従来において、一般家庭などでの食器の洗浄は、水を含ませたスポンジに洗剤をとり、それを揉んで泡を立ててから、被洗物に塗りひろげるように洗浄剤を付着させ、擦り洗いをする方法、あるいは、たらいやシンク等に水をはり洗剤を薄めて、その中で被洗物を擦り洗いする方法がとられている。
【０００３】
しかしながら、このような洗浄方法では、皿等を洗い続けることで、スポンジ中の水等で液が薄められ洗浄力が減少していくという課題を有し、また、洗浄する作業が多いため、効率が悪く、疲労感も大きいのが現状である。
【０００４】
一方、界面活性剤０．０１〜１．０質量％、エタノール０．０２〜３０質量％と、泡改質剤、その他の有効成分等を含有したポンプ式フォーマーに適用される薬液の組成物（例えば、特許文献１参照）、プラスチック等の硬質表面用のスプレー容器に入れられる洗浄剤組成物であって、アミンオキサイド系界面活性剤を含有し、有機溶剤を実質的に含有しないものであって、洗浄剤組成物／油／硬質表面の３相の接触角等の関係を特定の式で規定した硬質表面用洗浄剤組成物（例えば、特許文献２参照）が知られている。また、変性油汚れの除去を目的とした高活性剤濃度でかつ水溶性溶剤を含有することを特徴とした洗浄剤組成物（例えば、特許文献３参照）が知られている。
【０００５】
【特許文献１】特開平８−１４３８５４号公報（特許請求の範囲、実施例等）
【特許文献２】特開平１０−１７６１８５号公報（特許請求の範囲、実施例等）
【特許文献３】特開平１１−１１６９８７号公報（特許請求の範囲、実施例等）
【０００６】
しかしながら、上記特許文献１及び２に記載される洗浄剤組成物は、食器洗い用ではなく、しかも、未だ洗浄力が不充分であり、使用性に劣るという課題がある。また、特許文献３は、被洗物対象を変性油としているため、一般的な食品由来の油汚れに対する洗浄力が不足しているという課題がある。
【発明の開示】
【発明が解決しようとする課題】
【０００７】
本発明は、上記従来技術等の課題に鑑み、これを解消しようとするものであり、トリガー式スプレー器等の吐出装置を備えた吐出容器に台所用の洗浄剤を収容し、この吐出装置を用いて、洗浄剤を直接被洗物に噴霧後、放置しておけば、すすぐだけで又は軽い擦り労力で通常の洗浄と同等以上の洗浄力が得られると共に、使用性に優れた食器洗い用スプレー式洗浄剤製品を提供することを目的とする。
【課題を解決するための手段】
【０００８】
本発明者らは、上記従来の課題等について、鋭意検討した結果、界面活性剤及びエタノールを各特定量含有せしめると共に、更に特定の界面活性剤とを含有する液体組成物を液滴状又は泡状に変換し、吐出させる容器に充填することにより、または、液体洗浄剤を特定の手段で被洗物に直接スプレーし、被洗物に付着した汚れを特定の手段で落とすことにより、上記目的の食器洗い用スプレー式洗浄剤製品が得られることを見い出し、本発明を完成するに至ったのである。
すなわち、本発明は、次の（１）〜（３）に存する。
（１）下記（ａ）〜（ｃ）を含有し、（ａ）及び（ｂ）を含む界面活性剤の合計が３〜２０質量％であり、質量比（ａ）：（ｂ）が２：１〜２０：１である液体洗浄剤組成物を液滴状または泡状に変換し、吐出させる容器に充填したことを特徴とする食器洗い用スプレー式洗浄剤製品。
（ａ）アニオン界面活性剤
（ｂ）半極性界面活性剤
（ｃ）エタノール０．１〜２０質量％
（２）液体洗浄剤を液滴状又は泡状に変換して、被洗物に直接スプレーすることにより、水ですすぐだけで被洗物に付着した汚れが落ちることを訴求したことを特徴とする上記（１）に記載の食器洗い用スプレー式洗浄剤製品。
（３）液体洗浄剤を液滴状又は泡状に変換して、固着汚れ被洗物に直接スプレーし、擦り洗いにより付着した汚れが落ちることを訴求したことを特徴とする上記（１）に記載の食器洗い用スプレー式洗浄剤製品。
【発明の効果】
【０００９】
本発明によれば、トリガー式スプレー器等の吐出装置を備えた容器に上記組成物を収容し、この吐出装置を用いて、洗浄剤を液滴状又は泡状として直接被洗物に噴霧後、放置しておけば、すすぐだけで又は軽い擦り労力で通常の洗浄と同等以上の洗浄力が得られると共に、使用性に優れた食器洗い用スプレー式洗浄剤製品が提供される。
【発明を実施するための最良の形態】
【００１０】
以下に、本発明の実施の形態を詳しく説明する。
本発明の食器洗い用スプレー式洗浄剤製品は、下記（ａ）〜（ｃ）を含有し、（ａ）及び（ｂ）を含む界面活性剤の合計が３〜２０質量％であり、質量比（ａ）：（ｂ）が２：１〜２０：１である液体洗浄剤組成物を液滴状または泡状に変換し、吐出させる容器に充填したことを特徴とするものである。
（ａ）アニオン界面活性剤
（ｂ）半極性界面活性剤
（ｃ）エタノール０．１〜２０質量％
【００１１】
本発明に用いる（ａ）成分のアニオン界面活性剤としては、特に限定されないが、例えばアルキルまたはアルケニル硫酸塩、ポリオキシエチレンアルキルまたはアルケニル硫酸エステル塩、アルキルベンゼンスルホン酸塩、アルカンスルホン酸塩、アルキルまたはアルケニルエーテルカルボン酸塩、αスルホ脂肪酸誘導体、αオレフィンスルホン酸塩、αスルホ脂肪酸アルキルエステル塩、スルホコハク酸塩、アルキルリン酸エステル塩、天然脂肪酸石鹸、アミドエーテルカルボン酸、アミノ酸系アニオン活性剤等が挙げられ、これらは、単独で或いは２種以上組み合わせて含有することができる。
好ましくは、アルキルまたはアルケニル硫酸塩、ポリオキシエチレンアルキルまたはアルケニル硫酸エステル塩、アルキルベンゼンスルホン酸塩、アルカンスルホン酸塩、αオレフィンスルホン酸塩である。
これらの（ａ）成分の含有量は、組成物全量に対して、好ましくは、３〜１５質量％であることが望ましい。
【００１２】
本発明に用いる（ｂ）成分の半極性界面活性剤としては、例えば、アルキルアミンオキシド、アルキルアミドアミンオキシド、アルキルヒドロキシアミンオキシド等が挙げられ、これらは、単独で或いは２種以上組み合わせて含有することができる。
これらの（ｂ）成分の含有量は、組成物全量に対して、下限値は、好ましくは０．１質量％、さらに好ましくは０．５質量％であり、上限値は、好ましくは５質量％以下、さらに好ましくは３質量％以下である。
この（ｂ）成分の含有量が０．１質量％未満であると、汚れへの浸透力が弱く、また、５質量％を超える場合は、泡の広がりを満足することができず、好ましくない。
【００１３】
本発明に用いるその他の界面活性剤としては、台所等の食器洗いに用いられる界面活性剤であって、本発明の効果を損なわないものであれば特に限定されるものではなく、例えば、両性界面活性剤、ノニオン界面活性剤、カチオン界面活性剤などの界面活性剤が挙げられる。
両性界面活性剤としては、例えば、カルボキシベタイン、アミノカルボン酸塩、アルキルスルホベタイン、ヒドロキシアルキルスルホベタイン、アルキルイミダゾリニウムベタイン、アルキルベタイン、アルキルアミドプロピルベタイン等が挙げられる。
ノニオン界面活性剤としては、例えば、ポリオキシアルキレンアルキルエーテル、脂肪酸アルカノールアミド、ポリオキシエチレンソルビタンエステル、ソルビタンエステル、ソルビトールエステル、蔗糖脂肪酸エステル、メチルグルコシドエステル、メチルマンノシドエステル、エチルグルコシドエステル、Ｎ−メチルグルカミド、環状Ｎ−メチルグルカミド、アルキルグルコシド、アルキルポリグルコシド、アルキルグリセリルエーテル、ソルビタン脂肪酸エステル、ポリオキシエチレンアシルエステル、脂肪酸グリコシドエステル、脂肪酸メチルグリコシドエステル、アルキルメチルグルカミド等が挙げられる。
カチオン性界面活性剤としては、例えば、アルキルアミン塩酸塩や第４級アンモニウム塩等が挙げられる。
これらの界面活性剤は、単独で或いは２種以上組み合わせて含有することができる。
【００１４】
これらの界面活性剤の合計量は、（ａ）成分及び（ｂ）成分とその他の界面活性剤の合計含有量であり、液体組成物全量（以下、単に「組成物全量」という）に対して、３〜２０質量％とすることが必要であり、好ましくは５〜２０質量％である。
界面活性剤の合計量が３質量％未満であると、泡の広がり、洗浄力等を満足することができず、また、２０質量％を超える場合は、泡の広がり等を満足することができないこととなる。
【００１５】
また、上記（ａ）成分と（ｂ）成分の質量比は、（ａ）：（ｂ）＝２：１〜２０：１であることが必要があり、２：１超過では泡の広がり等を満足することができず、２０超過：１を超えると洗浄力等を満足することができない。
【００１６】
本発明に用いる（ｃ）成分のエタノールは、発酵法、合成法など製造法によらず任意に用いることができる。
これらの（ｃ）成分の含有量は、組成物全量に対して、０．１〜２０質量％とすることが必要であり、下限値が好ましくは０．５質量％であり、上限値が好ましくは１０質量％である。
この（ｃ）成分の含有量が０．１質量％未満の場合は泡の広がり等を満足することができず、２０質量％を超える場合は、吐出時の泡立ち等を満足することができず、好ましくない。
【００１７】
本発明の液体組成物には、上記（ａ）〜（ｃ）成分の他、更に、従来から使用されてきたその他の添加成分（任意成分）を本発明の効果を損なわない範囲で任意に組み合わせて含有してもよい。
含有可能な好ましい添加成分としては、例えば、グリコール酸、クエン酸、エチレンジアミンテトラアセテート等の金属キレート剤、マグネシウム塩やカルシウム塩等の無機塩、エタノール以外の低級アルコールやプロピレングリコール等の液体溶剤、ジブチルヒドロキシトルエン、アスコルビン酸等の酸化防止剤、芳香族カルボン酸、芳香族スルホン酸などの液性調整剤、硫酸亜鉛、ポリリジン等の殺菌剤、天然多糖類や粘土鉱物等の粘度調整剤、着色剤、消臭剤、植物抽出物、酵素等の薬効成分、香料、香料用溶剤、香料安定化剤などの通常用いられる物質が挙げられる。また、溶媒として通常は水（精製水、イオン交換水、純水等）が使用される。
【００１８】
また、本発明の液体組成物のｐＨは、洗浄力、安全性の点等から下限値は好ましくは５、さらに好ましくは６であり、上限値は９、さらに好ましくは８である。
更に、本発明の液体組成物の２５℃における粘度は、吐出性の面から好ましくは１〜１００ｍＰａ・ｓ、より好ましくは１〜５０ｍＰａ・ｓ、さらに好ましくは１〜３０ｍＰａ・ｓである。
【００１９】
本発明の液体組成物を吐出させる容器としては、上記組成の液体組成物を液滴状又は泡状に変換して、吐出させる吐出装置を備えたものであって、該吐出装置にピストン・シリンダー等の慴動部あるいはポンプハウジングに対する通液体等の嵌合部を有するものであれば特に制限なく使用される。
具体的な例としては、図１及び２に示すような、上記容器本体内２内に収納された例えば、上記組成の液体組成物を、トリガー６を引いてピストン７、シリンダー８を作動させて吐出するトリガー式スプレー器を備えた吐出容器１が使用される。
【００２０】
この形態に係る泡吐出容器１を詳述すれば、図１に示すように、トリガー式スプレー器であって、噴霧される液体組成物が収容された容器２の口元部２ａにディスペンサー３がキャップ４により装着されている。
前記ディスペンサー３の前方端部にはノズル５が設けられ、該ノズル５の後方にはトリガー６が前記キャップ４との間に隙間を有した状態で揺動自在に設けられている。前記トリガー６に隣接してピストン７およびシリンダ８が配置され、前記トリガー６を揺動させることにより、該トリガー６に連動してピストン７がシリンダ８内で前進・後退動作する。これにより、シリンダ室８ａ内の容積が減少・増大するようにされている。
【００２１】
前記ディスペンサー３の構成は、前記シリンダ室８ａに隣接して、バルブ部９が設けられ、このバルブ部９は下部ではステンレスのボール１０が座面９ａに載置した下部バルブを有し、この座面９ａの下方には容器２内から液をディスペンサー３に流通させるディップチューブ１１が接続されている。また、バルブ部９の上部ではシリンダ室８ａへの通路孔１２と、通常弁体１３ａが座面９ｂに付勢力により押し付けられ、かつ、バルブ部９の内圧が一定以上になると弁体１３ａが座面９ｂから離れて開く上部バルブ１３と、ディスペンサー３先端部のノズル５に亘るノズル通路５ａとが形成されている。弁体１３ａの下部はボール１０近傍に延びていて、ボール１０を一定範囲で動作させる規制部材になっている。
【００２２】
前記ノズル５は、中央に液滴が噴射される噴射孔２０が形成され、該噴射孔２０の周囲に略円筒形状の液滴状又は泡状に変換する液滴・泡化筒部材２１が回動自在に装着されている。
図２（ａ）は、閉止状態、（ｂ）は泡状となる状態、（ｃ）は液滴状となる状態を示す各概略説明図である。
この泡吐出容器１による噴霧等の操作は、図１に示すように、容器２内の液は、ピストン７の図中の左方向への動きにより、ディップチューブ１１内を通り（吸い上がり）、ボール１０を押し上げて通路孔１２を通ってシリンダ室８ａ内に吸入される。次に、ピストン７の図中の右方向への動きにより、前記シリンダ室８ａに吸入されていた液は、ボール１０を座面９ａに押し付け、弁体１３ａを上向きに押し上げることにより、通路５ａを通ってノズル５より噴出される。
前記液滴・泡化筒部材２１の回動（切り替え操作）により、図２（ｂ）では、噴射孔２０の両側に形成したスリットから空気が取り込まれて空気と混合して泡状となり、図２（ｃ）では、切り替え操作）により、液滴状（霧状）となるものである。
なお、図中の符号５ａはスピンエレメントであり、該スピンエレメントによって、内溶液が噴射孔２０から噴射される時に噴射液に回転がかけられて、前方に直線的に飛び出す液滴は少なくされている。
【００２３】
このように構成される本発明の食器洗い用スプレー式洗浄剤製品は、上記（ａ）成分のアニオン界面活性剤と、（ｂ）成分の半極性界面活性剤、（ｃ）成分のエタノール０．１〜２０質量％とを含有し、（ａ）及び（ｂ）を含む界面活性剤の合計が３〜２０質量％であり、質量比（ａ）：（ｂ）が２：１〜２０：１である液体組成物を液滴状又は泡状に変換し、吐出させる容器、例えば、図１に示される該吐出容器により、洗浄対象物表面の汚れを液滴又は泡状で直接噴霧して均一に覆うことで、希釈されず、汚れに浸透し高い洗浄力を発揮できることとなり、また、従来の作業が減るため、時間短縮、手首の疲労感が、軽減できることとなる。
また、本発明では、特に、半極性活性剤とエタノールを上記各所定量含有することにより、有効な界面張力低下と減粘性をもたらした結果、吐出容器によって吐出された泡が被洗物上の汚れを包み込むように覆うことができるので、上記の効果をもたらすことができるものである。
【００２４】
また、本発明では、皿上に付着しているサラダ油、バターなどの調理あるいは食事をした直後の汚れに、上記組成の液体組成物等を直接泡状にして吐出させることにより油を包みこむことで、数分から十分程度で、一般家庭の流水ですすぐだけで汚れを落とすことができる。また、牛脂などのきつい汚れや、調理や食事をした後放置した汚れに対しても、本組成を直接泡状にしてかけることにより、徐々に汚れに浸透する。その結果、油分が改質されるため、スポンジ等の用具を用い軽く擦り洗いすることにより汚れを落とすことができる。
【実施例】
【００２５】
次に、実施例及び比較例により本発明を更に詳細に説明する。なお、本発明は下記実施例に限定されるものではない。
【００２６】
（実施例１〜６及び比較例１〜７）
下記表１に示す配合組成により、食器洗い用の洗浄剤となる各液体組成物（全量１００質量％）を調製した。
得られた各液体組成物について、下記の試験方法により、粘度、吐出性及び洗浄力について評価した。
これらの結果を下記表１に示す。
【００２７】
（粘度の測定方法）
２５℃に調製された洗浄剤を、ＢＬ型粘度計（ＴＯＫＩＭＥＣ社製、ＰＶＬ−Ｂ２）を用い、回転数６０ｒｐｍ、２番ローターにて１分後の値（粘度：ｍＰａ・ｓ）を測定した。
【００２８】
（吐出性の評価法）
図１及び図２（ｂ）に準拠するトリガー式スプレー器を用い、距離が２０ｃｍになる位置から直径約２０ｃｍの陶器皿にスプレーした時の吐出性を下記の評価基準に従って目視評価した。
評価基準：
◎：細かい気泡を有した液が真円状に均一に付着している。
○：細かい気泡を有した液がほぼ真円状に概ね均一に付着している。
×：粗い気泡を有した液が真円状またはほぼ真円状または歪な円状に付着している。又は細かい気泡を有した液が歪な円状に斑に付着している。
【００２９】
（洗浄力の評価法）
バター１ｇを均等に塗った直径約２０ｃｍの陶器皿を被洗物として、上記吐出性の評価と同様の条件で洗浄液を３ｍｌ噴出し１０分放置後、水温２５℃、２００ｍｌ／秒の流水で１０秒すすぎ、汚垢の落ち具合を手で触れて、下記評価基準で評価した。
評価基準：
◎：皿に汚垢が残っていない。
○：皿に汚垢がわずかに残っている。
×：皿に汚垢が残っている。
【００３０】
【表１】
2004217908.tif 000003
【００３１】
上記表１の結果から明らかなように、本発明の範囲となる実施例１〜６は、本発明の範囲外となる比較例１〜７に較べて、吐出性及び洗浄力に優れていることが判った。
【図面の簡単な説明】
【００３２】
【図１】本発明に用いるトリガー式スプレー器の一例を示す説明図である。
【図２】図２（ａ）は、閉止状態、（ｂ）は泡状となる状態、（ｃ）は液滴状となる状態を示す各概略説明図である。
【符号の説明】
【００３３】
１      吐出容器
２      容器
２ａ    口元部
３      ディスペンサー
４      キャップ
５      ノズル
５ａ    通路
６      トリガー
７      ピストン
８      シリンダー
８ａ    シリンダ室
９      バルブ部
９ａ    座面
１０    ステンレスボール
１１    ディップチューブ
１２    通路孔
１３    上部バルブ
１３ａ  弁体
２０    噴射孔
２１    液滴・泡化筒部材
【図１】
2004217908.tif 000004
【図２】
2004217908.tif 000005